(57)【要約】【課題】仮想植物の育成を手軽に楽しみ、簡単に体験できるようにする。【解決手段】表示画面に表示された仮想植物を天気情報に基づいて育成する仮想植物育成システム１あって、通信網５を介して天気情報配信サーバ６から天気情報を取得する携帯電話機３と、携帯電話機３から赤外線通信を介して受信した天気情報と仮想植物の成長に必要な成長要素データとに基づいて仮想植物の生育状態を決定し、決定された生育状態の仮想植物を表示する仮想植物育成装置２と、を備える。【選択図】  図１
2009195294.tif 000002
【特許請求の範囲】
【請求項１】
表示画面に表示された仮想植物を天気情報に基づいて育成する仮想植物育成システムであって、
ネットワークを介して天気情報を取得する取得手段と、
取得した天気情報を記憶する記憶手段と、
記憶された天気情報に基づいて仮想植物の成長に必要な成長要素データを蓄積する蓄積手段と、
蓄積された成長要素データに基づいて仮想植物の生育状態を決定する決定手段と、
決定された生育状態の仮想植物を表示する表示手段と、
を備えたことを特徴とする仮想植物育成システム。
【請求項２】
前記仮想植物育成システムは、前記蓄積手段に蓄積される成長要素データを入力する入力手段を備えたことを特徴とする請求項１に記載の仮想植物育成システム。
【請求項３】
天気情報を受信する携帯端末装置と、前記天気情報に基づいて表示画面に表示された仮想植物を育成する仮想植物育成装置と、からなる仮想植物育成システムであって、
前記携帯端末装置は、
ネットワークを介して天気情報を取得する取得手段と、
取得した天気情報を前記仮想植物育成装置へ送信する送信手段と、を備え、
前記仮想植物育成装置は、
送信された天気情報を受信する受信手段と、
受信した天気情報を記憶する記憶手段と、
記憶された天気情報に基づいて仮想植物の成長に必要な成長要素データを蓄積する蓄積手段と、
蓄積された成長要素データに基づいて仮想植物の生育状態を決定する決定手段と、
決定された生育状態の仮想植物を表示する表示手段と、を備えたことを特徴とする仮想植物育成システム。
【請求項４】
前記携帯端末装置は、前記蓄積手段に蓄積される成長要素データを入力する入力手段を備え、
前記送信手段は、入力された成長要素データを前記仮想植物育成装置へ送信することを特徴とする請求項３に記載の仮想植物育成システム。
【請求項５】
携帯端末装置が取得した天気情報に基づいて表示画面に表示された仮想植物を育成する仮想植物育成装置であって、
前記携帯端末装置から送信された天気情報を受信する受信手段と、
受信した天気情報を記憶する記憶手段と、
記憶された天気情報に基づいて仮想植物の成長に必要な成長要素データを蓄積する蓄積手段と、
蓄積された成長要素データに基づいて仮想植物の生育状態を決定する決定手段と、
決定された生育状態の仮想植物を表示する表示手段と、を備えたことを特徴とする仮想植物育成装置。
【請求項６】
前記受信手段は、前記携帯端末装置から送信され、前記蓄積手段に蓄積される成長要素データを受信することを特徴とする請求項５に記載の仮想植物育成装置。
【発明の詳細な説明】
【技術分野】
【０００１】
本発明は、表示画面に表示された仮想植物を天気情報に基づいて育成するようにした仮想植物育成システム及び仮想植物育成装置に関するものである。
【背景技術】
【０００２】
近年、動物や植物などのキャラクタ画像をコンピュータの表示画面内で育成させる電子ゲームが提案されている。例えば、下記の特許文献１（特許第２９２８８６５号公報）には、表示手段に表示されている植物キャラクタに対してキー入力手段のキー操作によって植物成長要素（水、光、肥料）データを入力したり、温度センサや照度センサによって周囲環境データを入力したりすることにより、現在表示中の植物キャラクタに代えて、次の成長過程の植物キャラクタを順次表示させていく携帯型電子ゲーム機が示されている。
【特許文献１】特許第２９２８８６５号公報（段落［０００５］〜段落［００１０］、図１、図９）
【発明の開示】
【発明が解決しようとする課題】
【０００３】
しかしながら、上記特許文献１に示されるように、より現実的な感覚で植物キャラクタを成長させるためには、毎日こまめに操作入力を行って成長要素レジスタを更新する必要があり、多忙なユーザにとっては煩わしい作業となってしまうという問題点があった。
【０００４】
また、ユーザの手を煩わすことなく実際の環境変化に応じで植物キャラクタを成長させるために、上記特許文献１に示されるような温度センサや照度センサなどを使用すると、ハードウェアコストがかかり手軽に育成ゲームを楽しめないという問題点や、据え置きタイプの育成ゲーム装置では、室内の環境に左右されるため植物キャラクタの成長が画一的になってしまい面白味に欠けるといった問題点があった。
【０００５】
本願の発明者は上記の問題点を解消すべく種々検討を重ねた結果、ネットワークを介して配信される天気情報を取得し、この天気情報に基づいて仮想植物を育成するようになせば、上記の問題点を解消し得ることを想到し本発明を完成するに至ったものである。すなわち、本発明は、上記の問題点を解消することを課題とし、仮想植物の育成を手軽に楽しみながら、かつ簡単に体験できるようにすることを目的とするものである。
【課題を解決するための手段】
【０００６】
前記課題を解決するため、本願の請求項１に係る発明は、表示画面に表示された仮想植物を天気情報に基づいて育成する仮想植物育成システムであって、ネットワークを介して天気情報を取得する取得手段（例えば下記実施例では無線通信部３３に相当する）と、取得した天気情報を記憶する記憶手段（例えば下記実施例では、メモリ２４に相当する）と、  記憶された天気情報に基づいて仮想植物の成長に必要な成長要素データを蓄積する蓄積手段（例えば下記実施例では、メモリ２４に相当する）と、蓄積された成長要素データに基づいて仮想植物の生育状態を決定する決定手段（例えば下記実施例では、制御部２１に相当する）と、決定された生育状態の仮想植物を表示する表示手段（例えば下記実施例では、表示部２２に相当する）と、を備えたことを特徴とする。
【０００７】
また、本願の請求項２に係る発明は、請求項１に係る仮想植物育成システムにおいて、  前記蓄積手段に蓄積される成長要素データを入力する入力手段（例えば下記実施例では、操作・表示部３６に相当する）を備えたことを特徴とする。
【０００８】
また、本願の請求項３に係る発明は、天気情報を受信する携帯端末装置（例えば下記実施例では、携帯電話機３に相当する）と、前記天気情報に基づいて表示画面に表示された仮想植物を育成する仮想植物育成装置と、からなる仮想植物育成システムであって、前記携帯端末装置は、ネットワークを介して天気情報を取得する取得手段（例えば下記実施例では、無線通信部３３に相当する）と、取得した天気情報を前記仮想植物育成装置へ送信する送信手段（例えば下記実施例では、通信制御部３８に相当する）と、を備え、前記仮想植物育成装置は、送信された天気情報を受信する受信手段（例えば下記実施例では、通信制御部２５に相当する）と、受信した天気情報を記憶する記憶手段（例えば下記実施例では、メモリ２４に相当する）と、記憶された天気情報に基づいて仮想植物の成長に必要な成長要素データを蓄積する蓄積手段（例えば下記実施例では、メモリ２４に相当する）と、蓄積された成長要素データに基づいて仮想植物の生育状態を決定する決定手段（例えば下記実施例では、制御部２１に相当する）と、決定された生育状態の仮想植物を表示する表示手段（例えば下記実施例では、表示部２２に相当する）と、を備えたことを特徴とする。
【０００９】
また、本願の請求項４に係る発明は、請求項３に係る仮想植物育成システムにおいて、  前記携帯端末装置は、前記蓄積手段に蓄積される成長要素データを入力する入力手段（例えば下記実施例では、操作・表示部３６に相当する）を備え、前記送信手段は、入力された成長要素データを前記仮想植物育成装置へ送信することを特徴とする。
【００１０】
また、本願の請求項５に係る発明は、携帯端末装置が取得した天気情報に基づいて表示画面に表示された仮想植物を育成する仮想植物育成装置であって、前記携帯端末装置から送信された天気情報を受信する受信手段（例えば下記実施例では、通信制御部２５に相当する）と、受信した天気情報を記憶する記憶手段（例えば下記実施例では、メモリ２４に相当する）と、記憶された天気情報に基づいて仮想植物の成長に必要な成長要素データを蓄積する蓄積手段（例えば下記実施例では、メモリ２４に相当する）と、蓄積された成長要素データに基づいて仮想植物の生育状態を決定する決定手段（例えば下記実施例では、制御部２１に相当する）と、決定された生育状態の仮想植物を表示する表示手段（例えば下記実施例では、表示部２２に相当する）と、を備えたことを特徴とする。
【００１１】
また、本願の請求項６に係る発明は、請求項５に係る仮想植物育成装置において、前記受信手段は、前記携帯端末装置から送信され、前記蓄積手段に蓄積される成長要素データを受信することを特徴とする。
【発明の効果】
【００１２】
本発明の電話装置は、次のような効果を奏する。すなわち、請求項１、請求項３、請求項５に係る発明においては、ネットワークを介して天気情報を取得した天気情報に基づいて仮想植物の成長に必要な成長要素データを蓄積し、蓄積された成長要素データに基づいて仮想植物の生育状態を決定する決定し、決定された生育状態の仮想植物を表示するようにする。
【００１３】
このような構成によれば、天気情報配信サーバなどから配信された天気情報に基づいて仮想植物の成長に必要な成長要素データを与えることによって仮想植物を育成するようにしたので、仮想植物の育成を手軽に楽しむことができるようになる。
【００１４】
また、請求項２、請求項４、請求項６に係る発明においては、請求項１または請求項３に係る仮想植物育成システム、あるいは請求項５に係る仮想植物育成装置において、蓄積される成長要素データを入力するようにする。
【００１５】
このような構成によれば、携帯電話機などからのユーザ操作に基づいて仮想植物の成長に必要な成長要素データを与えることによって仮想植物を育成するようにしたので、仮想植物の育成を簡単に体験することができるようになる。
【発明を実施するための最良の形態】
【００１６】
以下、本発明の具体例を実施例及び図面を用いて詳細に説明する。但し、以下に示す実施例は、本発明の技術思想を具体化するための仮想植物育成システムを例示するものであって、本発明をこの仮想植物育成システムに特定することを意図するものではなく、特許請求の範囲に含まれるその他の実施形態の仮想植物育成システムにも等しく適用し得るものである。
【実施例】
【００１７】
図１は、本発明の実施例に係る仮想植物育成システムの概略構成を示す図である。仮想植物育成システムは、仮想植物育成装置２、携帯電話機３などを備えており、仮想植物育成装置２と携帯電話機３は、例えば、赤外線通信４を介してデータの送受信を行える構成をなしている。また、携帯電話機３は通信網５を介して天気情報を受信する機能を備えている。天気情報は天気情報配信サーバ６から配信される。
【００１８】
携帯電話機３は、開閉式ディスプレイを開状態にした際に、そのディスプレイに天気情報を表示させるために、天気情報配信サーバ６から通信網５を介して定期的に配信される１週間分の天気情報を、電源オン時や開閉式ディスプレイを開状態にした時などの所定のタイミングで予め受信しておく。そして、ユーザが赤外線通信４を用いて携帯電話機３から仮想植物育成装置２に向けて操作した際に、この受信した１週間分の天気情報を送信する。
【００１９】
１週間分の天気情報を受信した仮想植物育成装置２では、各日の天気情報に応じて仮想植物を育成させ、その結果として生育過程の各段階を示す仮想植物の画像データをユーザに表示する。それに加えて、実際の植物を育成する際に肥料や水などを与えるのと同じように、携帯電話機３からのユーザ操作に基づいて仮想植物の成長に必要な成長要素データを与えることによって、仮想植物育成装置２は、これらの成長要素データも加味して仮想植物を育成させるようにしている。
【００２０】
次に、本発明の実施例に係る仮想植物育成装置２の構成について説明する。
【００２１】
図２は、本発明の実施例に係る仮想植物育成装置２の概略構成を示すブロック図である。仮想植物育成装置２は、制御部２１、表示部２２、操作部２３、メモリ２４、通信制御部２５などを備えて構成されている。仮想植物育成装置２は、携帯電話機３から送信された天気情報に基づいて仮想植物を育成し、表示する。なお、制御部２１は本発明の決定手段に相当し、表示部２２は本発明の表示手段に相当し、メモリ２４は本発明の記憶手段と蓄積手段に相当し、通信制御部１４は本発明の取得手段または受信手段に相当する。
【００２２】
制御部２１は、マイクロプロセッサを中心に構成され、一般的なコンピュータ装置と同様に、図示していないＲＯＭ、ＲＡＭを備えている。ＲＯＭには各部動作を制御するプログラムを記憶しており、制御部２１が携帯電話機３と赤外線通信するためのプログラムなども書き込まれている。また、ＲＡＭには制御部２１によって実行される仮想植物育成アプリケーションや制御部２１の動作に必要な情報を記憶する。
【００２３】
なお、制御部２１によって実行される仮想植物育成アプリケーションは、仮想植物育成装置２の電源をオンにした際やタイマ起動設定により所定時刻になった際に自動的に起動されてもよいし、操作部２３からの操作設定によってユーザが所望する機能を選択的に起動させてもよい。
【００２４】
表示部２２は、液晶パネルなどのディスプレイにより構成され、ディスプレイには制御部２１の制御により、図６（ａ）〜（ｅ）に示す仮想植物の画像データが表示される他、図５に示す仮想植物の成長に必要な成長要素データの蓄積状況などの各種情報について表示することもできる。操作部２３は、各種操作キーにより構成され、種々の機能を選択したり設定したりする際の入力に用いられる。
【００２５】
メモリ２４は、仮想植物育成装置２の各種機能の設定状況が記憶される他、携帯電話機３から受信した天気情報や成長要素データなどを記憶することができる。成長要素データは、仮想植物の成長に必要な各種要素、例えば、図５に示すように、「光合成」、「水」、「エネルギー」などのレベル値であり、このレベル値は各データの蓄積状態に対応してレベル１からレベル５までの５段階に分かれている。
【００２６】
この成長要素データは、携帯電話機３から受信した１週間分の天気情報に基づいて、そのレベル値が更新される。すなわち、制御部２１は、メモリ２４に記憶されている１週間分の天気情報中からスケジュール管理によって天気情報を特定し、特定された天気情報に基づいて、メモリ２４に記憶されている成長要素データを更新する。例えば、天気情報が「晴れ」の場合には、光合成のレベル値が１段階上がり、天気情報が「雨」の場合には、水のレベル値が１段階上がる。
【００２７】
また、この成長要素データは、携帯電話機３から受信した成長要素データの入力情報に基づいて、そのレベル値が更新される。例えば、携帯電話機３に対して仮想植物に水を与えるような操作がなされると、水のレベル値を１段階上げる入力情報が携帯電話機３から送信され、仮想植物に肥料を与えるような操作がなされると、エネルギーのレベル値を１段階上げる入力情報が携帯電話機３から送信される。
【００２８】
図５は、本発明の実施例に係る成長要素データの蓄積状態を示す仮想植物育成装置の表示画面の一例を示す図である。図５に示す例では、「光合成」、「水」、「エネルギー」の３つのタイプの成長要素データについて、各データの蓄積状態を示す数値レベルが示されており、具体的には、光合成５１はレベル３、水５２はレベル２、エネルギー５３はレベル４まで蓄積されていることを示している。
【００２９】
なお、制御部２１によって実行される本実施例の仮想植物育成アプリケーションは、メモリ２４に記憶されている全てのタイプの成長要素データがレベル５まで達すると仮想植物の生育過程の段階が１段階進み、全ての成長要素データがレベル０にリセットされるように設定されている。
【００３０】
また、メモリ２４は、図６（ａ）〜（ｅ）に示す仮想植物の生育過程の各段階を示す画像データを記憶している。図６は、本発明の実施例に係る仮想植物の生育過程の各段階を示す画像データの一例を示す図である。図６に示すように、５段階の仮想植物の生育過程それぞれに対応する画像データが用意されており、各段階の画像データは、メモリ２４に記憶されている成長要素データに基づいて制御部２１によって読み出され、表示部２２に表示される。
【００３１】
通信制御部２５は、携帯電話機３などと赤外線通信を行うための赤外線ポートであり、天気情報などの通信データの送受信のほかに、携帯電話機３から操作された成長要素データの入力情報を受信する。
【００３２】
図３は、本発明の実施例に係る携帯電話機３の概略構成を示すブロック図である。携帯電話機３は、制御部３１、アンテナ３２、無線通信部３３、音声信号処理部３４、音声入出力部３５、操作・表示部３６、メモリ３７、通信制御部３８を備えて構成されている。なお、無線通信部３３は本発明の取得手段に相当し、操作・表示部３６は本発明の操作手段に相当し、通信制御部３８は本発明の送信手段に相当する。
【００３３】
制御部３１は、マイクロプロセッサを中心に構成され、一般的なコンピュータ装置と同様に、図示していないＲＯＭ、ＲＡＭを備えている。ＲＯＭには各部動作を制御するプログラムを記憶しており、制御部３１が仮想植物育成装置２と赤外線通信するためのプログラムなども書き込まれている。また、ＲＡＭには制御部３１によって実行されるアプリケーションや制御部３１の動作に必要な情報を記憶する。
【００３４】
制御部３１は、ＲＡＭに記憶されている各種アプリケーションを起動させて各種機能を実行する。ここで、実行される機能としては、例えば、通信網５を介して配信される天気情報などを所定のタイミングで受信し、その情報を操作・表示部３６に表示させる天気情報受信機能や、操作・表示部３６からの入力操作によって仮想植物への成長要素データの付与を指示する仮想植物育成機能である。
【００３５】
なお、実行される各種アプリケーションは、携帯電話機３の電源をオンにした際やタイマ起動設定により所定時刻になった際に自動的に起動されてもよいし、操作・表示部３６からの操作設定によってユーザが所望する機能を選択的に起動させてもよい。
【００３６】
無線通信部３３は、アンテナ３２を介して他の携帯電話機との間に無線による通話リンクを確立させて、携帯電話機３との間で発信信号、着信信号、送話音声信号、受話音声信号の送受信を行ったり、通信網５を介して天気情報配信サーバ６などとの間に無線による通信リンクを確立させて、携帯電話機３との間でデータ通信の送受信を行ったりする。
【００３７】
音声信号処理部３４は、無線通信部３３からの受話音声信号を処理して音声入出力部３５を介して出力し、あるいは、音声入出力部３５を介して入力された送話音声を処理して音声信号に変換して無線通信部３３へ送出する。音声入出力部３５は、マイクを介して送話音声を入力したり、スピーカを介して受話音声を出力したりする。
【００３８】
操作・表示部３６は、テンキーを含む各種キー、液晶パネルなどのディスプレイにより構成され、各種キーは電話番号の入力やメールの入力等に用いられ、種々の機能を選択したり設定したりする際にも用いられる。さらに本実施例では、仮想植物の成長に必要な成長要素データ（肥料や水など）を与えるように指示するために用いられる。また、ディスプレイには電話帳から読み出した相手先の電話番号や名称、通話時間、通話料金が表示される他、携帯電話機３が受信したメールや天気情報を表示することもできる。
【００３９】
メモリ３７は、携帯電話機３の各種機能の設定状況が記憶される他、無線通信部３３が天気情報配信サーバ６から受信した１週間分の天気情報などの配信情報を記憶することができる。また、操作・表示部３６によって仮想植物に与えるように操作された成長要素データの入力情報を記憶する。
【００４０】
通信制御部３８は、仮想植物育成装置２などと赤外線通信を行うための赤外線ポートであり、操作・表示部３６からの操作によってメモリ３７に記憶されている天気情報などの通信データを送信する他、操作・表示部３６によって仮想植物に与えるように操作された成長要素データの入力情報を送信する。
【００４１】
次に、本発明の実施例に係る仮想植物育成装置２の育成処理動作について説明する。
【００４２】
図４は、本実施例に係る仮想植物育成装置の育成処理動作を示すフローチャートである。
【００４３】
なお、図４に示す動作は制御部２１にＲＡＭに記憶されている仮想植物育成アプリケーションを実行することで実現される。
【００４４】
図４のフローチャートにおいて、まずステップＳ４０１において、制御部２１は、携帯電話機３がユーザにより操作されることによって１週間分の天気情報が赤外線通信４を介して送信され、その天気情報を取得できたか否か判定し、取得できた場合にはステップＳ４０２の処理に進み、一方、取得できなかった場合にはステップＳ４０３の処理に進む。
【００４５】
そして、ステップＳ４０２の処理において、制御部２１は、メモリ２４に既に記憶されている天気情報を新たに取得した１週間分の天気情報によって更新して、ステップＳ４０３の処理に進む。
【００４６】
次に、ステップＳ４０３において、制御部２１は、メモリ２４に所定日付の天気情報が記憶されているか否か判定し、天気情報が記憶されている場合にはステップＳ４０４の処理に進み、一方、記憶されていない場合にはステップＳ４０９の処理に進む。
【００４７】
そして、ステップＳ４０４の処理において、制御部２１は、メモリ２４に記憶された所定日付の天気情報が「曇り」であるか否か判定し、天気情報が「曇り」である場合にはステップＳ４０９の処理に進み、一方、天気情報が「曇り」でない場合にはステップＳ４０５の処理に進む。
【００４８】
そして、ステップＳ４０５の処理において、制御部２１は、メモリ２４に記憶された所定日付の天気情報が「晴れ」であるか否か判定し、天気情報が「晴れ」である場合にはステップＳ４０６の処理に進み、一方、天気情報が「晴れ」でない場合にはステップＳ４０７の処理に進む。ステップＳ４０６の処理では、制御部２１は、メモリ２４に記憶されている成長要素データのうち光合成のレベル値を１段階上げて、ステップＳ４０９の処理へ進む。
【００４９】
さらに、ステップＳ４０７の処理において、制御部２１は、メモリ２４に記憶された所定日付の天気情報が「雨」であるか否か判定し、天気情報が「雨」である場合にはステップＳ４０８の処理に進み、一方、天気情報が「雨」でない場合にはステップＳ４０９の処理に進む。ステップＳ４０８の処理では、制御部２１は、メモリ２４に記憶されている成長要素データのうち水のレベル値を１段階上げて、ステップＳ４０９の処理へ進む。
【００５０】
次に、ステップＳ４０９の処理において、制御部２１は、携帯電話機３から仮想植物に水を与えるような操作がなされたか否か判定し、操作された場合にはステップＳ４１０の処理に進み、一方、操作されなかった場合にはステップＳ４１１の処理に進む。ステップＳ４１０の処理では、制御部２１は、メモリ２４に記憶されている成長要素データのうち水のレベル値を１段階上げて、ステップＳ４１１の処理へ進む。
【００５１】
次に、ステップＳ４１１の処理において、制御部２１は、携帯電話機３から仮想植物に肥料を与えるような操作がなされたか否か判定し、操作された場合にはステップＳ４１２の処理に進み、一方、操作されなかった場合にはステップＳ４１３の処理に進む。ステップＳ４１２の処理では、制御部２１は、メモリ２４に記憶されている成長要素データのうちエネルギーのレベル値を１段階上げて、ステップＳ４１３の処理へ進む。
【００５２】
そして、ステップＳ４１３の処理において、制御部２１は、メモリ２４に記憶されている全てのタイプの成長要素データがレベル５に達したか否か判定し、全てレベル５に達している場合にはステップＳ４１４の処理に進み、一方、全てレベル５に達していない場合には表示されている仮想植物の画像データを変更することなく処理を終了する。
【００５３】
また、ステップＳ４１４の処理において、制御部２１は、仮想植物の生育過程の段階を１段階進めて、それに対応する仮想植物の画像データをメモリ２４から読み出して表示部２２に表示させるとともに、メモリ２４に記憶されている全ての成長要素データをレベル０にリセットして処理を終了する。
【００５４】
以上説明したように、本発明に係る仮想植物育成システムによれば、天気情報配信サーバから配信された天気情報や携帯電話機からのユーザ操作に基づいて仮想植物の成長に必要な成長要素データを与えることによって仮想植物を育成するようにしたので、仮想植物の育成を手軽に楽しむことができるとともに、仮想植物の育成を簡単に体験することができる。
【００５５】
なお、上記実施例では、携帯電話機から１週間分の天気情報を受信し、スケジュール管理によって所定日付の天気情報に基づいて仮想植物を育成する構成について説明したが、これに限ることなく、携帯電話機から受信する天気情報は１日分からでもよい。また、最新の天気情報を受信できない場合には、既にメモリに記憶されている過去の天気情報をランダムに利用してもよい。
【００５６】
また、上記実施例では、携帯電話機から天気情報などを受信する際に赤外線通信を用いる構成について説明したが、これに限ることはなく、Ｂｌｕｅｔｏｏｔｈなどの機器間接続に使われる短距離無線通信技術であれば、本発明は同様に適用することができる。
【００５７】
また、上記実施例では、携帯電話機から天気情報を受信する仮想植物育成装置について説明したが、これに限ることはなく、天気情報配信サーバから配信される天気情報を受信する機能を有する仮想植物育成装置においても、本発明は同様に適用することができる。この場合、仮想植物育成装置は、通信網を介して天気情報配信サーバから配信される天気情報を受信する通信制御部を備えることになる。
【００５８】
尚、本実施例では、携帯電話機から仮想植物育成装置に天気情報を送信する構成としたが、携帯電話機からではなく、室内に設置可能なコードレス電話装置やリモコンなどから天気情報を送信可能としても良い。又、仮想植物育成装置としては、携帯電話装置と無線によるデータの送受信が可能な表示装置であればよく、液晶表示装置や、パーソナルコンピュータのモニタ、電子的に画像を表示可能なフォトフレーム等においても実施可能である。
【図面の簡単な説明】
【００５９】
【図１】本発明の実施例に係る仮想植物育成システムの概略構成を示す図である。
【図２】本発明の実施例に係る仮想植物育成装置の概略構成を示すブロック図である。
【図３】本発明の実施例に係る携帯電話機の概略構成を示すブロック図である。
【図４】本発明の実施例に係る仮想植物育成装置の育成処理動作を示すフローチャートである。
【図５】本発明の実施例に係る成長要素データの蓄積状態を示す仮想植物育成装置の表示画面の一例を示す図である。
【図６】本発明の実施例に係る仮想植物の生育過程の各段階を示す画像データの一例を示す図である。
【符号の説明】
【００６０】
１・・・・仮想植物育成システム
２・・・・仮想植物育成装置
３・・・・携帯電話機
４・・・・赤外線通信
５・・・・通信網
６・・・・天気情報配信サーバ
２１、３１・・・・制御部
２２・・・・表示部
２３・・・・操作部
２４、３７・・・・メモリ
２５、３８・・・・通信制御部
３２・・・・アンテナ
３３・・・・無線通信部
３４・・・・音声信号処理部
３５・・・・音声入出力部
３６・・・・操作・表示部
【図１】
2009195294.tif 000003
【図２】
2009195294.tif 000004
【図３】
2009195294.tif 000005
【図４】
2009195294.tif 000006
【図５】
2009195294.tif 000007
【図６】
2009195294.tif 000008